(57)【要約】      （修正有）【課題】介護ベッドの上半身側を起こした場合でも、介護ベッドに保持されている枕が、利用者の首〜背中近辺に位置することが無いようにする枕カバーを提供する。【解決手段】２枚重ねの方形の布の左右の縁部の少なくとも一方の下端部寄りに枕５出入用の開口２１が確保され、且つ、２枚重ねの布間に枕収容室２０が構成されるように、２枚重ねの方形の布の縁部が閉じられている布部材２と、１本又は２本以上の紐状部材３と、布部材２の上縁部に該布部材２と一体に設けられ、紐状部材３の一端部を通し得る孔部４０を保持する孔部保持部材４とを有し、紐状部材３は、その一端部を孔部保持部材４の孔部４０に挿通して連結され、他端部をリクライニング機能を備えたベッドのマットレス載置台の可係止部位に連結される。【選択図】図１
0003210663.tif 000002
【実用新案登録請求の範囲】
【請求項１】
２枚重ねの方形の布の左右の縁部の少なくとも一方の下端部寄りに枕出入用の開口が確保され、且つ、前記２枚重ねの布間に枕収容室が構成されるように、前記２枚重ねの方形の布の縁部が閉じられている布部材と、
１本又は２本以上の紐状部材と、
前記布部材の上縁部に該布部材と一体に設けられ、前記紐状部材の一端部を通し得る孔部を保持する孔部保持部材と、
を有し、
前記紐状部材は、その一端部を前記孔部保持部材の孔部に挿通して連結され、他端部をリクライニング機能を備えたベッドのマットレス載置台の可係止部位に連結される、
ことを特徴とする枕カバー。
【請求項２】
請求項１に於いて、
前記孔部保持部材は、前記布部材の上縁部の幅方向の中央位置及び左右両端位置に前記孔部を有する、
ことを特徴とする枕カバー。  
【請求項３】
２枚重ねの方形の布の左右の縁部の少なくとも一方の下端部寄りに枕出入用の開口が確保され、且つ、前記２枚重ねの布間に枕収容室が構成されるように、前記２枚重ねの方形の布の縁部が閉じられている布部材と、
一端部を前記布部材の上縁部に繋がれた少なくとも１本の紐部材と、
を有し、
前記紐部材は、その他端部を、リクライニング機能を備えたベッドのマットレス載置台の可係止部位に連結される、
ことを特徴とする枕カバー。
【請求項４】
請求項３に於いて、
前記紐部材を３本有し、それらの前記一端部は、前記布部材の上縁部の幅方向の中央位置又は左右両端の各位置に繋がれている、
ことを特徴とする枕カバー。
【考案の詳細な説明】
【技術分野】
【０００１】
本考案は、枕を入れる枕収容室を備えた枕カバーに関する。詳しくは、リクライニング機能を備えた介護ベッド上で用いられ、上半身側を起こしたときに滑り落ちないように介護ベッドに保持されている枕カバーに関する。
【背景技術】
【０００２】
リクライニング機能を備えた介護ベッドでは、上半身側を起こしたときにマットレス上のシーツや枕がずり落ちて、使用者には不快感を与え、介護者には整え直すための余分な手間をかけさせることが多い。
このため、シーツや枕のずり落ちを防止する手段が望まれていた。
【０００３】
本願の出願人は、先に、介護ベッドのマットレス上にて用いられるシーツや枕が、当該介護ベッドの上半身側を起こしたときに滑り落ちることを防止するための滑り落ち防止具を出願し、実用新案登録第３２０６９２９号（特許文献１）として登録している。
その考案では、シーツや枕カバーの上縁部に孔を設け、該孔に紐の一端部を結びつけるとともに他端部を介護ベッドの上端部から裏側へ回してマットレス載置台に結びつけて吊り下げることにより、シーツや枕（枕カバー内の枕）の滑り落ちを防止している。
【先行技術文献】
【特許文献】
【０００４】
【特許文献１】実用新案登録第３２０６９２９号
【考案の概要】
【考案が解決しようとする課題】
【０００５】
介護ベッドを起こす前と起こした後とでは、ベッドの長手方向に於ける頭部の相対的な位置が、若干異なる。即ち、介護ベッドの上半身側を起こすと、使用者の頭部がベッドの上端方向寄りへ若干ずり上がる。このため、特に、枕を介護ベッドの上端側から吊り下げることにより滑り落ちを防止している場合には、枕が使用者の頭部より下方へ相対変移して、首〜背中近辺に位置してしまうことがある。これは、使用者にとって不快なばかりでなく、無理な姿勢であることに起因して、咳き込み等を誘発する場合さえある。
【０００６】
本考案は、介護ベッドの上半身側を起こした場合でも、介護ベッドに保持されている枕が、使用者の首〜背中近辺に位置することが無いようにすることを目的とする。
【課題を解決するための手段】
【０００７】
本考案の構成を、下記［１］〜［４］に記す。なお、この項（［課題を解決するための手段］）と次項（［考案の効果］）に於いて、符号や図番は理解を容易にするために付したものであり、本考案を符号や図番の構成に限定する趣旨ではない。
【０００８】
［１］構成１
２枚重ねの方形の布の左右の縁部の少なくとも一方の下端部寄りに枕５出入用の開口２１が確保され、且つ、前記２枚重ねの布間に枕収容室２０が構成されるように、前記２枚重ねの方形の布の縁部が閉じられている布部材２と、
１本又は２本以上の紐状部材３と、
前記布部材２の上縁部に該布部材２と一体に設けられ、前記紐状部材３の一端部を通し得る孔部４０を保持する孔部保持部材４と、
を有し、
前記紐状部材３は、その一端部を前記孔部保持部材４の孔部４０に挿通して連結され、他端部をリクライニング機能を備えたベッド１のマットレス載置台１０の可係止部位に連結される、
ことを特徴とする枕カバー。
［２］構成２
構成１に於いて、
前記孔部保持部材４は、前記布部材２の上縁部の幅方向の中央位置及び左右両端位置に前記孔部４０を有する、
ことを特徴とする枕カバー。  
構成１又は構成２に於いて、孔部保持部材４は、例えば、環状の紐若しくはリボンの一部位を布部材２の上縁部の所定部位（構成２では幅方向中央位置及び左右両端位置）に縫いつける等により構成できる（図１（ａ）参照）。また、例えば、帯状の布（布テープ）を、布部材２の上縁部に、孔部を形成すべき部位を該布部材２の上縁部の表面から浮かせるようにして（＝当該部位は縫いつけない／貼り付けないようにして）、縫いつける／貼り付ける等して構成することもできる。その他、実用新案登録第３２０６９２９号（特許文献１）にて「孔部保持部材」の例として言及した構成を採用できる。
【０００９】
［３］構成３
２枚重ねの方形の布の左右の縁部の少なくとも一方の下端部寄りに枕５出入用の開口２１が確保され、且つ、前記２枚重ねの布間に枕収容室２０が構成されるように、前記２枚重ねの方形の布の縁部が閉じられている布部材２と、
一端部を前記布部材２の上縁部に繋がれた少なくとも１本の紐部材３ａと、
を有し、
前記紐部材３ａは、その他端部を、リクライニング機能を備えたベッド１のマットレス載置台１０の可係止部位に連結される、
ことを特徴とする枕カバー。
［４］構成４
構成３に於いて、
前記紐部材３ａを３本有し、それらの前記一端部は、前記布部材２の上縁部の幅方向の中央位置又は左右両端の各位置に繋がれている、
ことを特徴とする枕カバー。
構成１〜構成４に於いて、マットレス載置台１０の可係止部位としては、例えば、マットレス載置台１０の隣接する通気孔１００，１００間の縁枠を用いることができる。その他、マットレス載置台１０に備えられている突起等を、適宜、用いることができる。
【考案の効果】
【００１０】
構成１は、２枚重ねの方形の布の左右の縁部の少なくとも一方の下端部寄りに枕５出入用の開口２１が確保され、且つ、前記２枚重ねの布間に枕収容室２０が構成されるように、前記２枚重ねの方形の布の縁部が閉じられている布部材２と、１本又は２本以上の紐状部材３と、前記布部材２の上縁部に該布部材２と一体に設けられ、前記紐状部材３の一端部を通し得る孔部４０を保持する孔部保持部材４とを有し、前記紐状部材３は、その一端部を前記孔部保持部材４の孔部４０に挿通して連結され、他端部をリクライニング機能を備えたベッド１のマットレス載置台１０の可係止部位に連結される枕カバーであるため、介護ベッドの上半身側を起こしたとき、枕５を枕カバーの枕収容室２０から開口２１を経て取り出すことができる。言い換えれば、枕が使用者の首〜背中近辺に位置することが無いようにできる。構成３も同様である。
【図面の簡単な説明】
【００１１】
【図１】実施の形態の枕カバーと該枕カバーに収容される枕を模式的に示す説明図であり、（ａ）は第１の実施の形態、（ｂ）は第２の実施の形態を示す。
【図２】（ａ）はリクライニング機能を備えた介護ベッド１に於ける枕カバーの配置関係を模式的に示す説明図、（ｂ）は（ａ）内矢視Ｂ方向から見た模式的説明図。
【考案を実施するための形態】
【００１２】
図面を参照して、本考案の実施の形態を説明する。
［１］第１の実施の形態
図１（ａ）は、第１の実施の形態の枕カバーと、該枕カバーに収容される枕５を模式的に示す。図２（ａ）はリクライニング機能を備えた介護ベッド１に於ける枕カバー及び枕５の配置関係を模式的に示し、（ｂ）はマットレス載置台１０に紐状部材３／紐部材３ａを連結する様子を模式的に示す。
【００１３】
第１の実施の形態では、枕カバーは、図示のように、タオル地の布部材２と、３本の紐状部材（例：木綿の紐）３と、３個の孔部保持部材（環状のリボン）４とから成る。
布部材２は、長方形のタオルを二つ折りにし、図１（ａ）での上縁部分を縫い合わせるとともに、左右の縁の上方寄り部分を縫い合わせて成る（縫い目２３ｓ，参照）。これにより、左右の縁の下方寄り部分に開口（枕５を出し入れするための開口）２１が確保されるとともに、２枚重ねとされたタオル地の布間に枕収容室２０が構成される。
【００１４】
３個の環状のリボン４は、それぞれの一部位を、布部材２の図１（ａ）での上縁部分の幅方向中央部又は左右の各端部に、それぞれ、縫い付けられている。縫いつけられた部位を、図中、符号「ｓ」で示す。この環状のリボン４の孔４０に紐状部材３の一端部が挿通されて結び付けられる。結び目を、図中、符号「ｋ」で示す。
【００１５】
紐状部材３の他端部は、図２のように、マットレス１５の上端部を経て裏側のマットレス載置台１０の通気孔１００へ挿通され、隣接する通気孔１００との間の通気孔縁枠（可係止部位）に連結される。結び目を、図中、符号「k」で示す。これにより、枕カバーは、介護ベッド１のマットレス載置台１０により吊り下げられるようにして保持され、上半身側を起こしたときの枕５の滑り落ちが防止される。
【００１６】
この枕５は、布部材２の左右の各縁の下方寄り部分の各開口２１から枕収容室２０へ出し入れ可能である（両矢印Ｉ／Ｏ，参照）ため、使用者（患者）が寝ている状態でベッドの上半身側を起こした場合でも、ベッドの横にいる付き添い者（介護者）が、横方向から容易に取り出すことができる。つまり、枕５を、使用者（患者）の首〜背中近辺から、容易に取り除くことができる。なお、仮に、枕カバーの上縁部に開口が設けられている場合、該上縁部の開口からの取り出し作業には、図２（ａ）から明らかなように、ベッド台等が邪魔になるため、かなりの苦労が伴う。
【００１７】
上記に於いて、紐状部材３を結びつける順序としては、表側（環状のリボン４の側）を先にしてもよく、裏側（マットレス載置台１０の側，紐状部材３の他端部の側）を先にしてもよい。上述のように構成されており、且つ、結びつける順序も任意であるため、紐状部材３を結びつける作業が、非常に容易となる。
【００１８】
また、上記では、マットレス載置台１０の通気孔１００や通気孔１００−１００間の縁枠を、図２（ｂ）のような形状やサイズ等として示しているが、これらは一例を示すものであり、形状やサイズ等は任意である。また、紐状部材３／紐部材３ａの「他端部」を結びつけるべき部位も通気孔１００−通気孔１００間の縁枠に限定されない。公知の介護ベッドのマットレス載置台に用いられている部材若しくは部位等であって、紐状部材３／紐部材３ａの「他端部」を結びつけ得る部材／部位等であればよい。
【００１９】
［２］第２の実施の形態
図１（ｂ）は、第２の実施の形態の枕カバーと、該枕カバーに収容される枕５を模式的に示す。第２の実施の形態が第１の実施の形態と異なる点は、紐部材３ａの一端部を、直接、枕カバーの上縁部に縫いつけている点である。即ち、第１の実施の形態では、環状リボン４を介して紐状部材３の一端部を枕カバーの側に連結していたが、第２の実施の形態では、環状リボン４を用いずに、直接、紐部材３ａを枕カバーの側に連結している。
他の点は第１の実施の形態と同様であるため、同じ構成には同じ符号を付して示し、説明は割愛する。
【符号の説明】
【００２０】
１  介護ベッド
１０  マットレス載置台
１００  通気孔
１５  マットレス
２  布部材
２０  枕収容室
２１  開口部
２３ｓ  縫い目
３  紐状部材
３ａ  紐部材
４  孔部保持部材
４０  孔部
５  枕
ｓ  縫着部
ｋ  結び目
【図１】
0003210663.tif 000003
【図２】
0003210663.tif 000004